(57)【要約】【課題】  装置全体を小型化することができるホース巻取り装置を提供すること。【解決手段】  装置本体１４と、装置本体１４の一端部に旋回自在に装着された旋回アーム１６と、旋回アーム１６の先端部に設けられた巻取りハウジング１８と、巻取りハウジング１８に回転自在に支持されたホース巻取り軸２０と、ホース巻取り軸２０を回転駆動させるための回転操作ハンドル２２と、巻取りハウジング１８に設けられた押圧アーム２４と、を備える。装置本体１４の他端部には、ホースを案内するための案内支持ローラ６０及びその両側部を案内するための一対の下流側案内ローラ６２，６４が設けられており、一方の下流側案内ローラ６２は、ホース巻取り軸２０の基端部側且つ案内支持ローラ６０の上流側に配設され、また他方の下流側案内ローラ６４は、ホース巻取り軸２０の先端部側且つ案内支持ローラ６０の下流側に配設されている。【選択図】  図３
2009028070.tif 000002
【特許請求の範囲】
【請求項１】
ホースを巻き取るためのホース巻取り装置であって、
装置本体と、前記装置本体の一端部に所定方向に延びる旋回軸線を中心として旋回自在に装着された旋回アームと、前記旋回アームの先端部に設けられた巻取りハウジングと、前記巻取りハウジングに回転自在に支持されたホース巻取り軸と、前記ホース巻取り軸を回転駆動させるための回転操作ハンドルと、前記旋回アーム又は前記巻取りハウジングに設けられた押圧アームと、を備え、
前記装置本体の他端部には、前記ホースを案内するための案内支持ローラ及びその両側部を案内するための一対の下流側案内ローラが設けられており、前記一対の下流側案内ローラの一方は、前記ホース巻取り軸の基端部側且つ前記案内支持ローラの上流側に配設され、またそれらの他方は、前記ホース巻取り軸の先端部側且つ前記案内支持ローラの下流側に配設され、
前記ホースを巻き取るときには、前記ホースの一端部が前記案内支持ローラの上を通して前記ホース巻取り軸に係止され、前記押圧アームが下方に押圧されて前記ホースの所定部位が前記案内支持ローラに接触乃至押圧され、この接触乃至押圧状態を保ちながら前記回転操作ハンドルが所定方向に回動されることを特徴とするホース巻取り装置。
【請求項２】
前記装置本体の一端部には、前記ホースの両側部を案内するための一対の上流側案内ローラが設けられていることを特徴とする請求項１に記載のホース巻取り装置。
【請求項３】
ホースを運搬するためのホース運搬車であって、
前記ホースを収容するためのホース収容部と、前記ホース収容部を移動自在に支持するための車輪と、前記ホース収容部の上端部に取り付けられたホース巻取り装置と、を備え、
前記ホース巻取り装置は、装置本体と、前記装置本体の一端部に所定方向に延びる旋回軸線を中心として旋回自在に装着された旋回アームと、前記旋回アームの先端部に設けられた巻取りハウジングと、前記巻取りハウジングに回転自在に支持されたホース巻取り軸と、前記ホース巻取り軸を回転駆動させるための回転操作ハンドルと、前記旋回アーム又は前記巻取りハウジングに設けられた押圧アームと、を備え、
前記装置本体の他端部には、前記ホースを案内するための案内支持ローラ及びその両側部を案内するための一対の下流側案内ローラが設けられており、前記一対の下流側案内ローラの一方は、前記ホース巻取り軸の先端部側且つ前記案内支持ローラの下流側に配設され、またそれらの他方は、前記ホース巻取り軸の基端部側且つ前記案内支持ローラの上流側に配設され、
前記ホースを巻き取るときには、前記ホースの一端部が前記案内支持ローラの上を通して前記ホース巻取り軸に係止され、前記押圧アームが下方に押圧されて前記ホースの所定部位が前記案内支持ローラに接触乃至押圧され、この接触乃至押圧状態を保ちながら前記回転操作ハンドルが所定方向に回動されることを特徴とするホース運搬車。
【発明の詳細な説明】
【技術分野】
【０００１】
本発明は、例えば消防用ホースや排水用ホースなどのホースを巻き取るためのホース巻取り装置及びこれを備えたホース運搬車に関する。
【背景技術】
【０００２】
従来より、例えば消防用ホースなどのホースを巻き取るためのホース巻取り装置が実用に供されている。このホース巻取り装置は、装置本体と、装置本体に回転自在に支持された主巻取り軸と、この主巻取り軸と一体的に回転される円板と、円板に取り付けられた補助巻取り軸と、回転軸及び円板を一体的に回転させるための回転操作ハンドルと、を備えている（例えば、特許文献１参照）。
【０００３】
このホース巻取り装置を用いて消防用ホースを巻き取るときには、二つ折りした消防用ホースのほぼ中央部を副巻取り軸に差し込み、この状態にて回転操作ハンドルを所定方向に回転させると、主巻取り軸及び円板が一体的に回転し、これにより主巻取り軸及び副巻取り軸の外周囲に二つ折りされた消防用ホースが巻き取られる。
【０００４】
また従来より、例えば消防用ホースなどのホースを運搬するためのホース運搬車が実用に供されている。このホース運搬車は、消防用ホースを収容するためのホース収容部と、ホース収容部を移動自在に支持するための一対の車輪と、ホース収容部を牽引するための牽引用ハンドルと、を備えている（例えば、特許文献２参照）。ホース収容部の内部には、消防用ホースが例えば蛇行状に折り畳まれた状態で収容される。
【０００５】
このようなホース運搬車は例えば消防自動車に搭載されており、火災現場付近に消防自動車が到着すると、ホース運搬車が消防自動車から降ろされ、牽引用ハンドルを把持してホース運搬車を牽引することによって消防用ホースが火災現場まで運搬される。このように運搬されると、消防用ホースがホース収容部の内部から取り出され、この消防用ホースを用いて消火が行われる。
【０００６】
【特許文献１】実開昭５９−９１２５９号公報
【特許文献２】特開平８−３３６６１０号公報
【発明の開示】
【発明が解決しようとする課題】
【０００７】
しかしながら、上述のような従来のホース巻取り装置では、その構造上装置全体が大型化してしまい、それ故に、ホース巻取り装置を容易に運搬することができず、ホース巻取り装置の設置場所が制限されてしまうという問題がある。また、上述のような従来のホース運搬車では、使用後の消防用ホースを手作業で巻き取ってホース収容部に収納しなければならず、消防用ホースを巻き取る際の作業効率が低下してしまうという問題がある。
【０００８】
本発明の目的は、装置全体を小型化することができるホース巻取り装置を提供することである。
また、本発明の他の目的は、ホースを巻き取る際の作業効率を高めることができるホース運搬車を提供することである。
【課題を解決するための手段】
【０００９】
本発明の請求項１に記載のホース巻取り装置では、ホースを巻き取るためのホース巻取り装置であって、
装置本体と、前記装置本体の一端部に所定方向に延びる旋回軸線を中心として旋回自在に装着された旋回アームと、前記旋回アームの先端部に設けられた巻取りハウジングと、前記巻取りハウジングに回転自在に支持されたホース巻取り軸と、前記ホース巻取り軸を回転駆動させるための回転操作ハンドルと、前記旋回アーム又は前記巻取りハウジングに設けられた押圧アームと、を備え、
前記装置本体の他端部には、前記ホースを案内するための案内支持ローラ及びその両側部を案内するための一対の下流側案内ローラが設けられており、前記一対の下流側案内ローラの一方は、前記ホース巻取り軸の基端部側且つ前記案内支持ローラの上流側に配設され、またそれらの他方は、前記ホース巻取り軸の先端部側且つ前記案内支持ローラの下流側に配設され、
前記ホースを巻き取るときには、前記ホースの一端部が前記案内支持ローラの上を通して前記ホース巻取り軸に係止され、前記押圧アームが下方に押圧されて前記ホースの所定部位が前記案内支持ローラに接触乃至押圧され、この接触乃至押圧状態を保ちながら前記回転操作ハンドルが所定方向に回動されることを特徴とする。
【００１０】
また、本発明の請求項２に記載のホース巻取り装置では、前記装置本体の一端部には、前記ホースの両側部を案内するための一対の上流側案内ローラが設けられていることを特徴とする。
【００１１】
さらに、本発明の請求項３に記載のホース運搬車では、ホースを運搬するためのホース運搬車であって、
前記ホースを収容するためのホース収容部と、前記ホース収容部を移動自在に支持するための車輪と、前記ホース収容部の上端部に取り付けられたホース巻取り装置と、を備え、
前記ホース巻取り装置は、装置本体と、前記装置本体の一端部に所定方向に延びる旋回軸線を中心として旋回自在に装着された旋回アームと、前記旋回アームの先端部に設けられた巻取りハウジングと、前記巻取りハウジングに回転自在に支持されたホース巻取り軸と、前記ホース巻取り軸を回転駆動させるための回転操作ハンドルと、前記旋回アーム又は前記巻取りハウジングに設けられた押圧アームと、を備え、
前記装置本体の他端部には、前記ホースを案内するための案内支持ローラ及びその両側部を案内するための一対の下流側案内ローラが設けられており、前記一対の下流側案内ローラの一方は、前記ホース巻取り軸の先端部側且つ前記案内支持ローラの下流側に配設され、またそれらの他方は、前記ホース巻取り軸の基端部側且つ前記案内支持ローラの上流側に配設され、
前記ホースを巻き取るときには、前記ホースの一端部が前記案内支持ローラの上を通して前記ホース巻取り軸に係止され、前記押圧アームが下方に押圧されて前記ホースの所定部位が前記案内支持ローラに接触乃至押圧され、この接触乃至押圧状態を保ちながら前記回転操作ハンドルが所定方向に回動されることを特徴とする。
【発明の効果】
【００１２】
本発明の請求項１に記載のホース巻取り装置によれば、装置本体の他端部には、ホースを案内するための案内支持ローラが設けられているので、ホースを巻き取る際には、押圧アームが下方に押圧されてホースの所定部位が案内支持ローラに接触乃至押圧され、これによりホースの内部の空気や消化剤（又は水）を抜きながらホースをホース巻取り軸に堅くきれいに巻き取ることができる。また、ホース巻取り軸に巻き取られたホースは、案内支持ローラによって下方より支持されるようになり、ホースの重量によってホース巻取り軸に作用する負荷を軽減することができる。また、装置本体の他端部には、ホースの両側部を案内するための一対の下流側案内ローラが設けられているので、ホースの両側部をきれいに揃えながら整然と巻き取ることができる。更に、一対の下流側案内ローラの一方は、ホース巻取り軸の基端部側且つ案内支持ローラの上流側に配設されているので、ホース巻取り軸を案内支持ローラに近接させることができ、これにより装置全体を小型化することができる。また、一対の下流側案内ローラの他方は、ホース巻取り軸の先端部側且つ案内支持ローラの下流側に配設されているので、巻き取られたホースがホース巻取り軸の先端部側に偏倚されると、この巻き取られたホースの一側部が他方の下流側案内ローラに当接され、これによりホースがホース巻取り軸より外れるのを防止することができる。
【００１３】
また、本発明の請求項２に記載のホース巻取り装置によれば、装置本体の一端部には、ホースの両側部を案内するための一対の上流側案内ローラが設けられているので、ホースを巻き取る際に、ホースの両側部が一対の上流側案内ローラ及び一対の下流側案内ローラにより案内され、これによりホースをきれいに揃えながら整然と巻き取ることができる。
【００１４】
さらに、本発明の請求項３に記載のホース運搬車によれば、上述したようにしてホース収容部の上端部に取り付けられるホース巻取り装置を用いてホースを容易に巻き取ることができ、ホースを巻き取る際の作業効率を高めることができる。また、上述したようにホース巻取り装置を小型化することができるので、ホース運搬車全体の大きさをコンパクトにすることができ、ホース運搬車を消防自動車に容易に搭載することができる。
【発明を実施するための最良の形態】
【００１５】
以下、添付図面を参照して、本発明に従うホース巻取り装置及びこれを備えたホース運搬車の一実施形態について説明する。図１は、本発明の一実施形態によるホース運搬車を示す概略斜視図であり、図２は、図１のホース巻取り装置を示す側面図であり、図３は、図１のホース巻取り装置を示す平面図であり、図４は、図１のホース巻取り装置を用いて消防用ホースが巻き取られる状態を示す図である。
【００１６】
図１を参照して、図示のホース運搬車２はホース収容部４を備え、このホース収容部４はボックス状に構成されており、その内部には、例えば消防用ホース６が蛇行状に折り畳まれた状態で収容される。ホース収容部４の一側部には、牽引用ハンドル８が旋回自在に取り付けられており、この牽引用ハンドル８は、ホース収容部４の一側部から外側に実質上水平方向に延びる牽引位置（図１において実線で示す）と、ホース収容部４の上端部に折り畳まれる収納位置（図１において二点鎖線で示す）との間を旋回自在に構成されている。ホース収容部４の上端部における一角部には、後述するホース巻取り装置１０が取り付けられ、またホース収容部４の下端部には、ホース収容部４を移動自在に支持するための一対の車輪１２が設けられている。
【００１７】
図１〜図３を参照して、ホース巻取り装置１０は、装置本体１４と、装置本体１４の一端部に旋回自在に装着された旋回アーム１６と、旋回アーム１６の先端部に設けられた巻取りハウジング１８と、巻取りハウジング１８に回転自在に支持されたホース巻取り軸２０と、ホース巻取り軸２０を回転駆動させるための回転操作ハンドル２２と、巻取りハウジング１８に設けられた押圧アーム２４と、を備えている。
【００１８】
装置本体１４は、相互に対向して延びる一対の主フレーム２６，２８と、一対の主フレーム２６，２８の両端部を相互に接続する一対の接続フレーム３０，３２と、を備えている。これら一対の主フレーム２６，２８及び一対の接続フレーム３０，３２はそれぞれ、ホース収容部４の上端部における一角部に例えば複数のボルト（図示せず）などを用いて取り付けられている。装置本体１４の一端部（即ち、一対の主フレーム２６，２８の各一端部）には一対の第１支持プレート３４，３６が相互に対向して設けられ、これら一対の第１支持プレート３４，３６にはそれぞれ、幅方向（図２において紙面に垂直な方向、図３において上下方向）内側に延びる第１支持軸３８，４０を介して第１上流側案内ローラ４２，４４が回転自在に支持されている。また、装置本体１４の一端部（即ち、一対の主フレーム２６，２８の各一端部）には一対の第２支持軸４６，４８が上方に延びて設けられ、これら一対の第２支持軸４６，４８にはそれぞれ第２上流側案内ローラ５０，５２が回転自在に支持されている。
【００１９】
装置本体１４の他端部（即ち、一対の主フレーム２６，２８の他端部）には一対の第２支持プレート５４，５６が相互に対向して設けられ、これら一対の第２支持プレート５４，５６間には実質上水平方向に延びる第３支持軸５８が取り付けられ、この第３支持軸５８には案内支持ローラ６０が回転自在に支持されている。なお、一対の第２支持プレート５４，５６は一対の主フレーム２６，２８と略平行に延びており、これによりホース収容部４の上端部からの案内支持ローラ６０の配設高さが低くなり、装置全体１４の高さが低く抑えられる。
【００２０】
また、装置本体１４の他端部には一対の下流側案内ローラ６２，６４が設けられており、一方の下流側案内ローラ６２は、ホース巻取り軸２０の基端部側且つ案内支持ローラ６０の上流側に配設され、また他方の下流側案内ローラ６４は、ホース巻取り軸２０の先端部側且つ案内支持ローラ６０の下流側に配設されている。具体的には、一方の主フレーム２６の他端部には第４支持軸６６が上方に延びて設けられ、この第４支持軸６６には一方の下流側案内ローラ６２が回転自在に支持されている。また、一方の第２支持プレート５６の一端部には支持部材６８が設けられ、この支持部材６８には第５支持軸７０が上方に延びて設けられ、この第５支持軸７０に他方の下流側案内ローラ６４が回転自在に支持されている。
【００２１】
装置本体１４の一端部、具体的には一対の第１支持プレート３４，３６には、旋回支持軸７２（所定方向に、本実施形態では幅方向に延びる旋回軸線を構成する）を介して旋回アーム１６の基端部が旋回自在に装着されている。この旋回アーム１６は、ホース運搬車２のホース収容部４の上端部に当接することによって、図２に示すように旋回アーム１６が一対の主フレーム２６，２８に沿って実質上水平方向に延びた状態に保持され、かかる状態より更に図２において時計方向に下方に旋回するのが阻止される。
【００２２】
旋回アーム１６の先端部には、円筒スリーブ状の巻取りハウジング１８が設けられ、この巻取りハウジング１８の内部には、軸受（図示せず）を介して回転軸７４が回転自在に支持されている。回転軸７４の一端部には複数（本実施形態では４個）のホース巻取り軸２０が設けられ、これら複数のホース巻取り軸２０は、周方向に所定の間隔を置いて配設されている。上述のように、一方の下流側案内ローラ６２は、ホース巻取り軸２０の基端部側且つ案内支持ローラ６０の上流側に配設されているので、旋回アーム１６が一対の主フレーム２６，２８に沿って実質上水平方向に延びた状態においては、ホース巻取り軸２０を案内支持ローラ６０に近接して配設することができ、これにより装置全体の長さ（図３において左右方向の長さ）が短く抑えられる。
【００２３】
回転軸７４の他端部には、ホース巻取り軸２０を回転駆動させるための回転操作ハンドル２２が設けられている。この回転操作ハンドル２２は、回転軸７４の他端部に固定されたハンドル本体７６と、ハンドル本体７６の先端部に設けられた把持部７８と、を備えている。把持部７８は、幅方向外側に延びる把持位置（図３中において実線で示す）と、ハンドル本体７６に沿って折り畳まれる収納位置（図３中において二点鎖線で示す）との間を旋回自在に構成されている。また、巻取りハウジング１８の上端部には押圧アーム２４が固定され、この押圧アーム２４の先端部には、押圧部８０が幅方向内側に延びて設けられている。この押圧アーム２４は、巻取りハウジング１８から実質上水平方向乃至斜め下方に延びている。
【００２４】
上述したホース巻取り装置１０による消防用ホース６の巻取り方法について説明すると、次の通りである。ホース巻取り装置１０を備えたホース運搬車２は、回転操作ハンドル２２の把持部７８が収納位置に、牽引用ハンドル８が収納位置に位置付けられた状態にて消防自動車（図示せず）に搭載される。火災現場において消火を行う際には、火災現場付近に到着した消防自動車からホース運搬車２を降ろし、ホース収容部４に収容された消防用ホース６の一端部に設けられた接続金具（図示せず）を消防自動車の消化剤ポンプ（図示せず）に接続する。そして、牽引用ハンドル８を収納位置から牽引位置に位置付け、この牽引用ハンドル８を把持してホース運搬車２を牽引することにより消防用ホース６を火災現場まで運搬し、この消防用ホース６を用いて消火を行う。
【００２５】
主として図４を参照して、消火に使用された後の消防用ホース６は、次のようにして巻き取られる。まず、消防用ホース６の他端部に設けられた金具８２を一対の第２上流側案内ローラ５０，５２の間を通り、一対の第１上流側案内ローラ４２，４４の上を通り、更に一対の下流側案内ローラ６２，６４の間を通り、案内支持ローラ６０の上を通して複数のホース巻取り軸２０に係止させる。かかる状態にて、回転操作ハンドル２２の把持部７８を収納位置から把持位置に位置付け、押圧アーム２４の押圧部８０を下方に軽く押圧しながら回転操作ハンドル２２を所定方向（図４中の矢印Ｐで示す方向）に回転させて消防用ホース６を複数のホース巻取り軸２０に巻き取る。このように巻き取られた消防用ホース６は、渦巻き状に巻回されるようになる。
【００２６】
このように巻き取る際には、消防用ホース６の両側部は、一対の第２上流側案内ローラ５０，５２及び一対の下流側案内ローラ６２，６４に案内され、これにより消防用ホース６の両側部をきれいに揃えながら整然と巻き取ることができる。また、他方の下流側案内ローラ６４は案内支持ローラ６０の下流側且つホース巻取り軸２０の先端部側に配設されているので、巻き取られた消防用ホース６がホース巻取り軸２０の先端部側に偏倚されると、この巻き取られた消防用ホース６の一側部が他方の下流側案内ローラ６４に当接され、これにより消防用ホース６が複数のホース巻取り軸２０より外れるのが防止される。また、押圧アーム２４の押圧部８０を下方に軽く押圧するので、複数のホース巻取り軸２０に巻き取られた消防用ホース６が、案内支持ローラ６０上を移動する消防用ホース６の所定部位に接触乃至押圧され、これにより消防用ホース６の内部の空気や消化剤（又は水）を抜きながら消防用ホース６を堅くきれいに巻き取ることができる。特に、旋回アーム１６が一対の主フレーム２６，２８に沿って実質上水平方向に延びた状態においては、ホース巻取り軸２０は案内支持ローラ６０に近接して配設されるので、巻き始め時において、消防用ホース６を案内支持ローラ６０により確実に接触乃至押圧することができる。
【００２７】
また、複数のホース巻取り軸２０に巻き取られた消防用ホース６は、案内支持ローラ６０によって下方より支持されるので、消防用ホース６の重量によって複数のホース巻取り軸２０に作用する負荷を軽減することができる。また、消防用ホース６は装置本体１４の一端部から地面に垂れ下がるようになるので、消防用ホース６の内部に残存する消化剤（又は水）は、消防用ホース６の他端部から一端部に向かって流下するようになり、これにより消防用ホース６の内部の消化剤（又は水）を抜きながら消防用ホース６を容易に巻き取ることができる。
【００２８】
なお、消防用ホース６を巻き取る堅さは、押圧アーム２４の押圧部８０を押圧する力によって調節することができ、より堅く巻き取る場合には、押圧アーム２４の押圧部８０を押圧する力を大きくすればよい。
【００２９】
上述のように巻き取られた消防用ホース６を複数のホース巻取り軸２０から取り外す際には、旋回アーム１６を図２において時計方向とは反対方向に旋回させて旋回アーム１６の先端部を持ち上げた状態にて（図２において二点鎖線で示す）、消防用ホース６を複数のホース巻取り軸２０の先端部側にスライド移動させて引き抜けばよい。このように取り出された消防用ホース６はホース収容部４の内部に再び収容され、牽引用ハンドル８を把持してホース運搬車２を牽引することにより消防用ホース６を消防自動車まで運搬する。そして、回転操作ハンドル２２の把持部７８が収納位置に、牽引用ハンドル８が収納位置に位置付けられた状態にて消防自動車に再び搭載される。
【００３０】
本実施形態のホース運搬車２では、上述したようにしてホース収容部４の上端部に取り付けられるホース巻取り装置１０を用いて消防用ホース６を容易に巻き取ることができ、消防用ホース６を巻き取る際の作業効率を高めることができる。また、上述したようにホース巻取り装置１０全体を小型化することができるので、ホース運搬車２全体の大きさをコンパクトにすることができ、従って、ホース巻取り装置１０を既存のホース運搬車２に取り付けた場合であっても、ホース運搬車２を消防自動車に容易に搭載することができる。
【００３１】
以上、本発明に従うホース巻取り装置及びこれを備えたホース運搬車の一実施形態について説明したが、本発明はかかる実施形態に限定されるものではなく、本発明の範囲を逸脱することなく種々の変形乃至修正が可能である。
【００３２】
例えば、上記実施形態では、ホース運搬車２は牽引用ハンドル８を牽引して移動させる人力式のものから構成したが、これに限られず、例えば電動モータなどにより車輪１２を回転駆動させる電動式のものから構成してもよく、種々の形態のホース運搬車に対して適用することができる。
【００３３】
また例えば、上記実施形態では、押圧アーム２４を巻取りハウジング１８に固定するように構成したが、旋回アーム１６の先端部に固定するように構成してもよく、あるいはより強固に固定するために旋回アーム１６の先端部及び巻取りハウジング１８に固定するように構成してもよい。
【図面の簡単な説明】
【００３４】
【図１】本発明の一実施形態によるホース運搬車を示す概略斜視図である。
【図２】図１のホース巻取り装置を示す側面図である。
【図３】図１のホース巻取り装置を示す平面図である。
【図４】図１のホース巻取り装置を用いて消防用ホースが巻き取られる状態を示す図である。
【符号の説明】
【００３５】
２  ホース巻取り装置
４  ホース収容部
６  消防用ホース
１０  ホース巻取り装置
１２  車輪
１４  装置本体
１６  旋回アーム
１８  巻取りハウジング
２０  ホース巻取り軸
２２  回転操作ハンドル
２４  押圧アーム
４２，４４  第１上流側案内ローラ
５０，５２  第２上流側案内ローラ
６０  案内支持ローラ
６２，６４  下流側案内ローラ
【図１】
2009028070.tif 000003
【図２】
2009028070.tif 000004
【図３】
2009028070.tif 000005
【図４】
2009028070.tif 000006